(57)【要約】【課題】本発明の課題は、肥料袋を肥料ホッパ位置まで軽く持ち上げて、袋内の肥料をホッパ内へ移し込むことのできる肥料受け台のリフト装置を提供することにある。【解決手段】本発明は、肥料を収容して圃場に散布する肥料ホッパ（５）を備えた作業車両において、肥料袋（Ｐ）の底面部を受ける水平方向の受け面（９ａ）と肥料袋の一側面を立てた状態でもたしかける上下方向の受け面（９ｂ）からなる肥料受け台（９）と、該肥料受け台（９）をこれに載せた肥料袋と共に所定の対地高さ位置から上昇回動させて肥料ホッパ（５）の上方位置から肥料を移し込むリフト手段（１１），（１２）を備えてあることを特徴とする作業車両の構成とする。【選択図】図３
2016154492.tif 000002
【特許請求の範囲】
【請求項１】
肥料を収容して圃場に散布する肥料ホッパ（５）を備えた作業車両において、肥料袋（Ｐ）の底面部を受ける水平方向の受け面（９ａ）と肥料袋の一側面を立てた状態でもたしかける上下方向の受け面（９ｂ）からなる肥料受け台（９）と、該肥料受け台（９）をこれに載せた肥料袋と共に所定の対地高さ位置から上昇回動させて肥料ホッパ（５）の上方位置から肥料を移し込むリフト手段（１１），（１２）を備えてあることを特徴とする作業車両。
【請求項２】
前記肥料受け台（９）は、肥料ホッパ（５）の上方位置に達した時、上下方向の受け面（９ｂ）が上端側を低位とする下り傾斜姿勢となるよう構成してあることを特徴とする請求項１記載の作業車両。
【請求項３】
前記肥料受け台（９）の上下方向の受け面（９ｂ）側には、肥料袋（Ｐ）の袋口側が細くなるよう規制する規制部材（１３）を設けてあることを特長とする請求項１又は請求項２記載の作業車両。
【発明の詳細な説明】
【技術分野】
【０００１】
この発明は、トラクタや移植機等の作業車両に関する。
【背景技術】
【０００２】
特許文献１には、トラクタの後部上方に施肥機用肥料ホッパを設置し、収容されたホッパ内の肥料を圃場に散布する技術が開示されている。
【先行技術文献】
【特許文献】
【０００３】
【特許文献１】特開２０１３−９６３１号公報
【発明の概要】
【発明が解決しようとする課題】
【０００４】
この種の肥料ホッパは、比較的高い位置に設置されているため、肥料補給にあたっては、重い肥料袋を高い位置に持ち上げてホッパ内に移し込むのに多大の労力を要していた。
【０００５】
本発明の課題は、肥料袋を肥料ホッパ位置まで軽く持ち上げて袋内の肥料をホッパ内へ移し込むことのできる肥料受け台のリフト装置を提供することにある。
【課題を解決するための手段】
【０００６】
この発明は、上記課題を解決すべく次のような技術的手段を講じた。
【０００７】
すなわち、請求項１記載の本発明は、肥料を収容して圃場に散布する肥料ホッパ（５）を備えた作業車両において、肥料袋（Ｐ）の底面部を受ける水平方向の受け面（９ａ）と肥料袋の一側面を立てた状態でもたしかける上下方向の受け面（９ｂ）からなる肥料受け台（９）と、該肥料受け台（９）をこれに載せた肥料袋と共に所定の対地高さ位置から上昇回動させて肥料ホッパ（５）の上方位置から肥料を移し込むリフト手段（１１），（１２）を備えてあることを特徴とする作業車両の構成とする。
【０００８】
上記構成によると、開封された袋口を上向きにした状態で肥料袋（Ｐ）を所定の対地高さ位置にある受け台（９）上に載せ、ハンドル操作によりリフトアーム（１１）を介して肥料ホッパ（５）上方の高い位置まで軽く持ち上げ搬送することができ、開封された袋内の肥料をホッパの上方位置から下向きとなった袋口から簡単に移し込むことができる。
【０００９】
請求項２記載の本発明は、請求項１において、前記肥料受け台（９）は、肥料ホッパ（５）の上方位置に達した時、上下方向の受け面（９ｂ）が上端側を低位とする下り傾斜姿勢となるよう構成してあることを特徴とする作業車両の構成とする。
【００１０】
上記構成によると、肥料受け台（９）がホッパ（５）の上方に達した時、上下方向の受け面（９ｂ）がホッパ側に向けての下り傾斜になるため、袋の開口部が下向きとなり、袋内の肥料を下方のホッパ内へスムースに流し込むことができる。
【００１１】
請求項３記載の本発明は、請求項１又は請求項２において、前記肥料受け台（９）の上下方向の受け面（９ｂ）側には、肥料袋（Ｐ）の袋口側が細くなるよう規制する規制部材（１３）を設けてあることを特徴とする作業車両の構成とする。
【００１２】
上記構成によると、規制部材（１３）によって受け面の上端側が狭くなっているため、肥料をホッパ（５）の中央側に寄せながら流し込むことができ、ホッパ外への飛散を防止できる。
【００１３】
また、この規制部材によって肥料袋の横ズレを防止でき、肥料袋を常に安定した姿勢で持ち上げ搬送することができる。
【発明の効果】
【００１４】
以上要するに、請求項１記載の本発明によれば、肥料袋を受け台上に載せた状態で所定の対地高さ位置から肥料ホッパ上方の高い位置まで軽く持ち上げ搬送することができ、袋内の肥料をホッパの上方位置から簡単に移し込むことができる。
【００１５】
請求項２記載の本発明によれば、請求項１記載の効果に加えて、肥料受け台がホッパの上方に達した時、上下方向の受け面がホッパ側に向けての下り傾斜になるため、袋口が下向きとなり、袋内の肥料を下方のホッパ内へスムースに流し込むことができる。
【００１６】
請求項３記載の本発明によれば、請求項１又は請求項２記載の効果に加えて、規制部材によって受け面の上端側が狭くなっているため、肥料補給時、肥料をホッパの中央側に流し込むことができ、ホッパ外への飛散を防止することができる。
【００１７】
また、この規制部材によって肥料袋の横ズレを防止でき、肥料袋を安定した姿勢で持ち上げ搬送することができる。
【図面の簡単な説明】
【００１８】
【図１】作業装置を備えた作業車両要部の側面図
【図２】同上要部の背面図
【図３】肥料ホッパ及び肥料受け台のリフト装置を備えた要部の側面図
【図４】同上要部の背面図
【図５】同上要部の平面図
【図６】別実施例を示す受け台リフト装置の背面図
【図７】肥料受け台の平面図
【図８】受け台リフト装置の背面図
【図９】同上背面図
【発明を実施するための形態】
【００１９】
この発明の実施例を図面に基づき説明する。
【００２０】
図１及び図２において、農業用作業車両であるトラクタ１は、車体後部に作業機４（耕うん畝立機）を備え、作業機４の上方に作業しながら圃場に肥料を散布する施肥用肥料ホッパ５を備えている。２はトラクタの後輪、３は作業機を昇降する昇降アームを示す。
【００２１】
粒状肥料を収容する肥料ホッパ５は、図２例では、その背面図で示すように、２つのホッパを連続させた構成であり、上部には開閉可能な蓋６が設けられている。ホッパの下部には肥料を設定量ずつ繰り出す繰出しバルブ７が設けられ、そこから繰出される肥料を散布ホース８を介して圃場の所定位置に散布するようになっている。
【００２２】
肥料袋を載せる肥料受け台９は、肥料袋の底部を受ける水平方向の受け面９ａと、肥料袋の一側面を立てた状態でもたしかける上下方向の受け面９ｂとからなり、側面視で略Ｌ字型に構成されている。
【００２３】
肥料受け台９は、支軸１０を支点として昇降回動するリフトアーム１１を介して所定の対地高さ位置から上方高位置にある肥料ホッパ５の上方位置まで上昇回動するようになっており、操作ハンドル１２の揺動操作でリフトする構成としている。なお、この操作ハンドルに代えて電動モータや油圧シリンダ等の駆動手段を用いることもできる。
【００２４】
そして、この肥料受け台９がホッパの上方位置に達した時は、上下方向の受け面９ｂが上端側を低位とする下り傾斜姿勢となるよう構成され、ホッパ側に向けての下り傾斜により、袋の開口部が下向きとなり、袋内の肥料が下方のホッパ内へスムースに流れ込むようになっている。
【００２５】
また、受け面９ｂ側には、肥料袋の袋口側が細く(狭く)なるよう規制する規制部材１３が設けられ、この左右の規制部材１３，１３によって袋内の肥料がホッパの中央側に向けて寄せられて流し込まれるようになっている。
【００２６】
また、この規制部材１３は、上方への移動時における袋のズレを防止する役目を果たしており、しかも、ホッパ上部に達した時、肥料袋が受け台からすべり落ちるのを防止する役目も果たしている。
【００２７】
図６に示す実施例は、リフトシリンダ１４を利用して肥料受け台をリフトアップする構成であるが、肥料受け台と肥料袋の重心位置Ｗが垂直ラインＹを越えたあたりで、リフトシリンダの動きとは別に肥料受け台が自由に動く構成(一定角度)とすることで、自由な動きが止まるショックで肥料袋の中に残った少量の肥料をたたき落とすことができる。
【００２８】
図７例に示すように、水平方向の受け面９ａの部分には、肥料袋を載せる際、手の入る箇所に切欠き凹部１５を設けておくことで、肥料袋と受け面との間に手が挟み込まれるのを防止している。
【００２９】
図８及び図９例では、操作ハンドル１２の操作位置を変更できるように構成したもので、操作ハンドル下向きの場合（図８参照）は、地面に立って操作する場合であり、操作ハンドル上向きの場合（図９参照）はトラクタに乗って操作する場合である。
【００３０】
肥料受け台９は、肥料を載せ易い位置に移動させたり、肥料がホッパ中央に入るように調整できれば便利である。そのため、図５に示すように、肥料受け台９の支持フレーム１６部とリフトアーム１１部には前後方向のスライド調整部１７ａと横方向のスライド調整部１７ｂを設けて任意調整できる構成としている。
【００３１】
なお、肥料受け台の不使用時には、これが邪魔にならないように図３の仮想線で示す状態位置に収納することができる。
【００３２】
また、肥料受け台９をホッパ５の上方付近で位置固定（例えば操作ハンドルにロック手段を設ける等）できるようにしておくと、袋に残った少量肥料を手作業で入れ易くすることができる。
【符号の説明】
【００３３】
Ｐ    肥料袋
５    肥料ホッパ
９    肥料受け台
９ａ  水平方向受け面
９ｂ  上下方向受け面
１０    支軸
１１    リフトアーム
１２    操作ハンドル
１３    規制部材
【図１】
2016154492.tif 000003
【図２】
2016154492.tif 000004
【図３】
2016154492.tif 000005
【図４】
2016154492.tif 000006
【図５】
2016154492.tif 000007
【図６】
2016154492.tif 000008
【図７】
2016154492.tif 000009
【図８】
2016154492.tif 000010
【図９】
2016154492.tif 000011